(57)【要約】  使用者中心のメイン画面アイコン設定装置は、使用者端末機に対する使用者のアプリケーション別使用パターンを分析し、前記使用者のアプリケーション使用趣向によるライフスタイル情報を生成する生成部と、前記生成されたライフスタイル情報を用いて、前記使用者端末機にインストールされたアプリケーション別使用回数及び使用時間によるアプリケーション順位を決定する決定部と、及び前記決定されたアプリケーション順位に基づいてＮ（前記Ｎは自然数）個のアプリケーションを選出し、前記選出されたＮ個のアプリケーションのそれぞれに対応するアイコンをメモリからロードし、これを前記使用者端末機のメイン画面に表示する表示部と、を含む。
2015517707.tif 000002
【特許請求の範囲】
【請求項１】
使用者端末機に対する使用者のアプリケーション別使用パターンを分析し、前記使用者のアプリケーション使用趣向によるライフスタイル情報を生成する生成部と、
前記生成されたライフスタイル情報を用いて、前記使用者端末機にインストールされたアプリケーション別使用回数及び使用時間によるアプリケーション順位を決定する決定部と、
前記決定されたアプリケーション順位に基づいてＮ（前記Ｎは自然数）個のアプリケーションを選出し、前記選出されたＮ個のアプリケーションのそれぞれに対応するアイコンをメモリからロードし、前記使用者端末機のメイン画面に表示する表示部と、
を含むことを特徴とする、使用者中心のメイン画面アイコン設定装置。
【請求項２】
前記メイン画面に表示されたアイコンの操作によって設定期間中に設定回数以上に頻繁に使用されるアプリケーションの使用パターンを記憶して学習し、前記学習結果に基づいてアプリケーションの推薦指数を決定し、前記決定された推薦指数に基づいてアプリケーションの推薦リストを作成するアプリケーション推薦部をさらに含み、
前記表示部は、前記推薦リストを前記使用者端末機のメイン画面に表示することを特徴とする、請求項１に記載の使用者中心のメイン画面アイコン設定装置。
【請求項３】
前記ライフスタイル情報を用いて前記使用者の生活パターンを分析した学習資料を生成し、前記生成された学習資料に基づいてアプリケーションの使用と関連するスケジュールを推薦するスケジュール推薦部をさらに含むことを特徴とする、請求項１に記載の使用者中心のメイン画面アイコン設定装置。
【請求項４】
前記スケジュール推薦部は、ニュース、新聞、天気と関連する過去の同じ時間帯のイシューに基づいて現在の予想イシューを予測し、前記予想イシューに基づいて前記スケジュールを推薦することを特徴とする、請求項３に記載の使用者中心のメイン画面アイコン設定装置。
【請求項５】
前記表示部は、前記メモリからロードされるＮ個のアイコンを多重の透明層からなる３次元の球形態に製作し、前記使用者端末機のメイン画面に一つの統合ＵＩ（Ｕｓｅｒ  Ｉｎｔｅｒｆａｃｅ）として表示することを特徴とする、請求項１に記載の使用者中心のメイン画面アイコン設定装置。
【請求項６】
前記表示部は、月別、日付別、曜日別、時間帯別に定められたアプリケーションのスケジュールにより、前記Ｎ個のアイコンを一重ずつ前記メイン画面の表面層に順次露出させ、露出したアイコンは、前記統合ＵＩから消えた後、次のスケジュールで再び前記統合ＵＩに表示されることを特徴とする、請求項５に記載の使用者中心のメイン画面アイコン設定装置。
【請求項７】
メイン画面アイコン設定装置の生成部において、使用者端末機に対する使用者のアプリケーション別使用パターンを分析し、前記使用者のアプリケーション使用趣向によるライフスタイル情報を生成するステップと、
前記メイン画面アイコン設定装置の決定部において、前記生成されたライフスタイル情報を用いて、前記使用者端末機にインストールされたアプリケーション別使用回数及び使用時間によるアプリケーション順位を決定するステップと、及び
前記メイン画面アイコン設定装置の表示部において、前記決定されたアプリケーション順位に基づいてＮ（前記Ｎは自然数）個のアプリケーションを選出し、前記選出されたＮ個のアプリケーションのそれぞれに対応するアイコンをメモリからロードし、これを前記使用者端末機のメイン画面に表示するステップと、
を含むことを特徴とする使用者中心のメイン画面アイコン設定方法。
【請求項８】
前記メイン画面アイコン設定装置のアプリケーション推薦部において、前記メイン画面に表示されたアイコンの操作によって設定期間中に設定回数以上に頻繁に使用されるアプリケーションの使用パターンを記憶して学習するステップと、
前記メイン画面アイコン設定装置のアプリケーション推薦部において、前記学習結果に基づいてアプリケーションの推薦指数を決定するステップと、
前記メイン画面アイコン設定装置のアプリケーション推薦部において、前記決定された推薦指数に基づいてアプリケーションの推薦リストを作成するステップと、及び
前記メイン画面アイコン設定装置の表示部において、前記推薦リストを前記使用者端末機のメイン画面に表示するステップと、
をさらに含むことを特徴とする、請求項７に記載の使用者中心のメイン画面アイコン設定方法。
【請求項９】
前記メイン画面アイコン設定装置のスケジュール推薦部において、前記ライフスタイル情報を用いて前記使用者の生活パターンを分析した学習資料を生成するステップと、及び
前記メイン画面アイコン設定装置のスケジュール推薦部において、前記生成された学習資料に基づいてアプリケーションの使用と関連するスケジュールを推薦するステップと、
をさらに含むことを特徴とする、請求項７に記載の使用者中心のメイン画面アイコン設定方法。
【請求項１０】
前記メイン画面アイコン設定装置のスケジュール推薦部において、ニュース、新聞、天気と関連する過去の同じ時間帯のイシューに基づいて現在の予想イシューを予測するステップと、及び
前記メイン画面アイコン設定装置のスケジュール推薦部において、前記予想イシューに基づいて前記スケジュールを推薦するステップと、
をさらに含むことを特徴とする、請求項９に記載の使用者中心のメイン画面アイコン設定方法。
【請求項１１】
前記メイン画面アイコン設定装置の表示部において、前記メモリからロードされるＮ個のアイコンを多重の透明層からなる３次元の球形態に製作し、前記使用者端末機のメイン画面に一つの統合ＵＩ（Ｕｓｅｒ  Ｉｎｔｅｒｆａｃｅ）として表示するステップをさらに含むことを特徴とする、請求項７に記載の使用者中心のメイン画面アイコン設定方法。
【請求項１２】
前記メイン画面アイコン設定装置の表示部において、月別、日付別、曜日別、時間帯別に定められたアプリケーションのスケジュールにより、前記Ｎ個のアイコンを一重ずつ前記メイン画面の表面層に順次露出させ、露出したアイコンは、前記統合ＵＩから消えた後、次のスケジュールで再び前記統合ＵＩに表示されるようにするステップをさらに含むことを特徴とする、請求項１１に記載の使用者中心のメイン画面アイコン設定方法。
【発明の詳細な説明】
【技術分野】
【０００１】
本発明の各実施例は、画面構成に関し、より詳細には、使用者中心にメイン画面のアイコンを構成する装置及び方法に関する。
【背景技術】
【０００２】
一般に、移動通信端末機などの携帯用端末機でのメニュー画面または待機画面などの使用者インターフェース（ＵＸ―ＵＩ）画面は、ポップアップメニューまたはアイコンメニューでソフトウェア的に予めプログラムされており、携帯用端末機の使用者が任意的にメニューの構成やアイコンを変えることができない。すなわち、一般的な携帯用端末機では、端末機製造社で定めた範囲内でのみメニュー画面などの使用者インターフェースを設定することができる。
【０００３】
一般的な携帯用端末機では、使用者ごとに頻繁に使用するメニュー項目が異なるが、メニュー画面の構成が予め定義された同一のメニュー構成のみを表示するしかなく、また、使用者の要求に合わせてメニューなどを再構成することができなかった。ところが、モバイル端末機やコンピュータデバイスにおいて、使用者インターフェース（ＵＸ―ＵＩ）は非常に重要な要素の一つである。
【０００４】
既存の方法では、四角あるいは円などの多角形ディスプレイに多角形アイコンを規則的あるいは不規則的に配列しておき、使用者がそのアイコンを選択して特定のプログラムを作動させていた。既存の方法では、制限された画面に数多くのプログラムメニューアイコンを設置し、画面間を行き来しながらの使用が煩わしかった。
【０００５】
そこで、アプリケーションに対する使用便宜性及び接近性に優れた使用者インターフェースの開発が切実に必要とされているのが実情である。
【０００６】
一方、本発明の一実施例に係る使用者中心のメイン画面アイコン設定装置及び方法と関連する先行技術としては、大韓民国登録特許公報第１０―０９１４１２５号（発明の名称：携帯用端末機での使用者インターフェース画面構成方法及びこれを行う携帯用端末機、登録日：２００９年８月１９日）がある。
【先行技術文献】
【特許文献】
【０００７】
【特許文献１】韓国登録特許第１０―０９１４１２５号公報
【発明の概要】
【発明が解決しようとする課題】
【０００８】
本発明の一実施例は、使用者のアプリケーション使用趣向を考慮し、メイン画面のアイコンを使用者中心の３次元立体ＵＸ―ＵＩとして表示することによって、使用者が好んだり頻繁に利用するアプリケーションに対する使用便宜性及び接近性を向上させ得る使用者中心のメイン画面アイコン設定装置及び方法を提供する。
【０００９】
本発明が解決しようとする課題は、以上で言及した課題に制限されるものではなく、言及していない他の課題は、下記の記載から当業者に明確に理解されるだろう。
【課題を解決するための手段】
【００１０】
本発明の一実施例に係る使用者中心のメイン画面アイコン設定装置は、使用者端末機に対する使用者のアプリケーション別使用パターンを分析し、前記使用者のアプリケーション使用趣向によるライフスタイル情報を生成する生成部と、前記生成されたライフスタイル情報を用いて、前記使用者端末機にインストールされたアプリケーション別使用回数及び使用時間によるアプリケーション順位を決定する決定部と、及び前記決定されたアプリケーション順位に基づいてＮ（前記Ｎは自然数）個のアプリケーションを選出し、前記選出されたＮ個のアプリケーションのそれぞれに対応するアイコンをメモリからロードし、これを前記使用者端末機のメイン画面に表示する表示部と、を含む。
【００１１】
本発明の一実施例に係る使用者中心のメイン画面アイコン設定装置は、前記メイン画面に表示されたアイコンの操作によって設定期間中に設定回数以上に頻繁に使用されるアプリケーションの使用パターンを記憶して学習し、前記学習結果に基づいてアプリケーションの推薦指数を決定し、前記決定された推薦指数に基づいてアプリケーションの推薦リストを作成するアプリケーション推薦部をさらに含み、前記表示部は、前記推薦リストを前記使用者端末機のメイン画面に表示することができる。
【００１２】
本発明の一実施例に係る使用者中心のメイン画面アイコン設定装置は、前記ライフスタイル情報を用いて前記使用者の生活パターンを分析した学習資料を生成し、前記生成された学習資料に基づいてアプリケーションの使用と関連するスケジュールを推薦するスケジュール推薦部をさらに含んでもよい。
【００１３】
前記スケジュール推薦部は、ニュースや新聞、天気と関連する過去の同じ時間帯のイシューに基づいて現在の予想イシューを予測し、前記予想イシューに基づいて前記スケジュールを推薦することができる。
【００１４】
前記表示部は、前記メモリからロードされるＮ個のアイコンを多重の透明層からなる３次元の球形態に製作し、前記使用者端末機のメイン画面に一つの統合ＵＩ（Ｕｓｅｒ  Ｉｎｔｅｒｆａｃｅ）として表示することができる。
【００１５】
前記表示部は、月別、日付別、曜日別、時間帯別に定められたアプリケーションのスケジュールにより、前記Ｎ個のアイコンを一重ずつ前記メイン画面の表面層に順次露出させ、露出したアイコンは、前記統合ＵＩから消えた後、次のスケジュールで再び前記統合ＵＩに表示することができる。
【００１６】
本発明の一実施例に係る使用者中心のメイン画面アイコン設定方法は、メイン画面アイコン設定装置の生成部において、使用者端末機に対する使用者のアプリケーション別使用パターンを分析し、前記使用者のアプリケーション使用趣向によるライフスタイル情報を生成するステップと前記メイン画面アイコン設定装置の決定部において、前記生成されたライフスタイル情報を用いて、前記使用者端末機にインストールされたアプリケーション別使用回数及び使用時間によるアプリケーション順位を決定するステップと、及び前記メイン画面アイコン設定装置の表示部において、前記決定されたアプリケーション順位に基づいてＮ（前記Ｎは自然数）個のアプリケーションを選出し、前記選出されたＮ個のアプリケーションのそれぞれに対応するアイコンをメモリからロードし、これを前記使用者端末機のメイン画面に表示するステップと、を含む。
【００１７】
本発明の一実施例に係る使用者中心のメイン画面アイコン設定方法は、前記メイン画面アイコン設定装置のアプリケーション推薦部において、前記メイン画面に表示されたアイコンの操作によって設定期間中に設定回数以上に頻繁に使用されるアプリケーションの使用パターンを記憶して学習するステップと、前記メイン画面アイコン設定装置のアプリケーション推薦部において、前記学習結果に基づいてアプリケーションの推薦指数を決定するステップと、前記メイン画面アイコン設定装置のアプリケーション推薦部において、前記決定された推薦指数に基づいてアプリケーションの推薦リストを作成するステップと、及び前記メイン画面アイコン設定装置の表示部において、前記推薦リストを前記使用者端末機のメイン画面に表示するステップと、をさらに含んでもよい。
【００１８】
本発明の一実施例に係る使用者中心のメイン画面アイコン設定方法は、前記メイン画面アイコン設定装置のスケジュール推薦部において、前記ライフスタイル情報を用いて前記使用者の生活パターンを分析した学習資料を生成するステップと、及び前記メイン画面アイコン設定装置のスケジュール推薦部において、前記生成された学習資料に基づいてアプリケーションの使用と関連するスケジュールを推薦するステップと、をさらに含んでもよい。
【００１９】
本発明の一実施例に係る使用者中心のメイン画面アイコン設定方法は、前記メイン画面アイコン設定装置のスケジュール推薦部において、ニュースや新聞、天気と関連する過去の同じ時間帯のイシューに基づいて現在の予想イシューを予測するステップと、及び前記メイン画面アイコン設定装置のスケジュール推薦部において、前記予想イシューに基づいて前記スケジュールを推薦するステップと、をさらに含んでもよい。
【００２０】
本発明の一実施例に係る使用者中心のメイン画面アイコン設定方法は、前記メイン画面アイコン設定装置の表示部において、前記メモリからロードされるＮ個のアイコンを多重の透明層からなる３次元の球形態に製作し、前記使用者端末機のメイン画面に一つの統合ＵＩ（Ｕｓｅｒ  Ｉｎｔｅｒｆａｃｅ）として表示するステップをさらに含んでもよい。
【００２１】
本発明の一実施例に係る使用者中心のメイン画面アイコン設定方法は、前記メイン画面アイコン設定装置の表示部において、月別、日付別、曜日別、時間帯別に定められたアプリケーションのスケジュールにより、前記Ｎ個のアイコンを一重ずつ前記メイン画面の表面層に順次露出させ、露出したアイコンは、前記統合ＵＩから消えた後、次のスケジュールで再び前記統合ＵＩに表示されるようにするステップをさらに含んでもよい。
【００２２】
その他の実施例の具体的な事項は、詳細な説明及び添付の図面に含まれている。
【００２３】
本発明の利点及び／または特徴、そして、それらを達成する方法は、添付の図面と共に詳細に説明している各実施例を参照すれば明確になるだろう。しかし、本発明は、以下で開示する各実施例に限定されるものではなく、互いに異なる多様な形態に具現可能である。ただし、本実施例は、本発明の開示を完全にし、本発明の属する技術分野で通常の知識を有する者に発明の範疇を完全に知らせるために提供されるものであって、本発明は、請求項の範疇によって定義されるものに過ぎない。明細書全体にわたって同一の参照符号は、同一の構成要素を称する。
【発明の効果】
【００２４】
本発明の一実施例によると、使用者のアプリケーション使用趣向を考慮し、メイン画面のアイコンを使用者中心の３次元立体ＵＸ―ＵＩとして表示することによって、使用者が好んだり頻繁に利用するアプリケーションに対する使用便宜性及び接近性を向上させることができる。
【図面の簡単な説明】
【００２５】
【図１】本発明の一実施例に係る使用者中心のメイン画面アイコン設定装置を説明するために示したブロック図である。
【図２】本発明の一実施例において、メイン画面の３次元ＵＸ―ＵＩを具現した一例を示した例示図である。
【図３】本発明の一実施例に係る使用者中心のメイン画面アイコン設定方法を説明するために示したフローチャートである。
【図４】本発明の一実施例において、アプリケーションを推薦してメイン画面に表示する過程を説明するために示したフローチャートである。
【図５】本発明の一実施例において、アプリケーションの使用と関連するスケジュールを推薦する過程を説明するために示したフローチャートである。
【発明を実施するための形態】
【００２６】
以下では、添付の図面を参照して本発明の各実施例を詳細に説明する。
【００２７】
図１は、本発明の一実施例に係る使用者中心のメイン画面アイコン設定装置を説明するために示したブロック図である。
【００２８】
図１を参照すると、本発明の一実施例に係る使用者中心のメイン画面アイコン設定装置１００は、生成部１１０、決定部１２０、表示部１３０、アプリケーション推薦部１４０、スケジュール推薦部１５０、及び制御部１６０を含んでもよい。
【００２９】
前記生成部１１０は、使用者端末機に対する使用者のアプリケーション別使用パターンを分析し、前記使用者のアプリケーション使用趣向によるライフスタイル情報を生成する。ここで、前記ライフスタイル情報は、アプリケーション情報、各アプリケーション別使用回数及び使用時間などを含む概念として理解することができる。
【００３０】
また、前記使用者端末機は、デスクトップＰＣなどの固定通信端末機または移動通信端末機を含んでもよい。前記移動通信端末機は、ＰＤＣ（Ｐｅｒｓｏｎａｌ  Ｄｉｇｉｔａｌ  Ｃｅｌｌｕｌａｒ）フォン、ＰＣＳ（Ｐｅｒｓｏｎａｌ  Ｃｏｍｍｕｎｉｃａｔｉｏｎ  Ｓｅｒｖｉｃｅ）フォン、ＰＨＳ（Ｐｅｒｓｏｎａｌ  Ｈａｎｄｙｐｈｏｎｅ  Ｓｙｓｔｅｍ）フォン、ＣＤＭＡ―２０００（１Ｘ、３Ｘ）フォン、ＷＣＤＭＡ（登録商標）（Ｗｉｄｅｂａｎｄ  ＣＤＭＡ）フォン、デュアルバンド／デュアルモード（Ｄｕａｌ  Ｂａｎｄ／Ｄｕａｌ  Ｍｏｄｅ）フォン、ＧＳＭ（登録商標）（Ｇｌｏｂａｌ  Ｓｔａｎｄａｒｄ  ｆｏｒ  Ｍｏｂｉｌｅ）フォン、ＭＢＳ（Ｍｏｂｉｌｅ  Ｂｒｏａｄｂａｎｄ  Ｓｙｓｔｅｍ）フォン、ＤＭＢ（Ｄｉｇｉｔａｌ  Ｍｕｌｔｉｍｅｄｉａ  Ｂｒｏａｄｃａｓｔｉｎｇ）フォン、スマートフォン、携帯電話などの通信機能が含まれ得る携帯用機器を含んでもよい。
【００３１】
また、前記移動通信端末機は、ＰＳＴＮ（ｐｕｂｌｉｃ  ｓｗｉｔｃｈｅｄ  ｔｅｌｅｐｈｏｎｅ  ｎｅｔｗｏｒｋ）端末機、ＶｏＩＰ（Ｖｏｉｃｅ  ｏｖｅｒ  Ｉｎｔｅｒｎｅｔ  Ｐｒｏｔｏｃｏｌ）、ＳＩＰ（Ｓｅｓｓｉｏｎ  Ｉｎｉｔｉａｔｉｏｎ  Ｐｒｏｔｏｃｏｌ）、ＭＧＣＰ（Ｍｅｄｉａ  Ｇａｔｅｗａｙ  Ｃｏｎｔｒｏｌ  Ｐｒｏｔｏｃｏｌ）、ＭＥＧＡＣＯ（Ｍｅｄｉａ  Ｇａｔｅｗａｙ  Ｃｏｎｔｒｏｌ）、ＰＤＡ（Ｐｅｒｓｏｎａｌ  Ｄｉｇｉｔａｌ  Ａｓｓｉｓｔａｎｔ）、ハンドヘルドＰＣ（Ｈａｎｄ―Ｈｅｌｄ  ＰＣ）、ノート型パソコン、ラップトップコンピューター、ワイブロ（ＷｉＢｒｏ）端末機、ＭＰ３プレーヤー、ＭＤプレーヤーなどの携帯端末機、そして、国際ローミングサービス及び拡張された移動通信サービスを提供するＩＭＴ―２０００（Ｉｎｔｅｒｎａｔｉｏｎａｌ  Ｍｏｂｉｌｅ  Ｔｅｌｅｃｏｍｍｕｎｉｃａｔｉｏｎ―２０００）端末機、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｅｒｖｉｃｅ）基盤の端末機などを含む全ての種類のハンドヘルド基盤の無線通信装置を含んでもよい。
【００３２】
前記携帯用器機及び前記ハンドヘルド基盤の無線通信装置などの携帯用電気電子装置は、ＣＤＭＡ（Ｃｏｄｅ  Ｄｉｖｉｓｉｏｎ  Ｍｕｌｔｉｐｌｅｘｉｎｇ  Ａｃｃｅｓｓ）モジュール、ブルートゥース（Ｂｌｕｅｔｏｏｔｈ（登録商標））モジュール、赤外線通信モジュール（Ｉｎｆｒａｒｅｄ  Ｄａｔａ  Ａｓｓｏｃｉａｔｉｏｎ）、有無線ＬＡＮカード及びＧＰＳ（Ｇｌｏｂａｌ  Ｐｏｓｉｔｉｏｎｉｎｇ  Ｓｙｓｔｅｍ）を通じた位置追跡を可能にするために、ＧＰＳチップが搭載された無線通信装置などの所定の通信モジュールを備えてもよく、マルチメディア再生機能を行えるマイクロプロセッサを搭載することによって、一定の演算動作を行える端末機を総称する概念として解釈することができる。
【００３３】
前記決定部１２０は、前記生成されたライフスタイル情報を用いて、前記使用者端末機にインストールされたアプリケーション別使用回数及び使用時間によるアプリケーション順位を決定する。このとき、前記決定部１２０は、前記アプリケーションの順位を決定する代わりに、前記アプリケーションの等級（上／中／下）を決定することもできる。
【００３４】
前記表示部１３０は、前記決定されたアプリケーション順位（または等級）に基づいてＮ（前記Ｎは自然数）個のアプリケーションを選出し、前記選出されたＮ個のアプリケーションのそれぞれに対応するアイコンをメモリからロードし、これを前記使用者端末機のメイン画面に表示する。
【００３５】
前記表示部１３０は、図２に示したように、前記メモリからロードされるＮ個のアイコンを多重の透明層からなる３次元の球形態に製作し、前記使用者端末機のメイン画面に一つの統合ＵＩ（Ｕｓｅｒ  Ｉｎｔｅｒｆａｃｅ）として表示することができる。
【００３６】
前記表示部１３０は、月別、日付別、曜日別、時間帯別に定められたアプリケーションのスケジュールにより、前記Ｎ個のアイコンを一重ずつ前記メイン画面の表面層に順次露出させる方式で各アイコンを前記使用者端末機のメイン画面に表示することができる。このとき、前記表示部１３０は、露出したアイコンが前記統合ＵＩから消えた後、次のスケジュールで再び前記統合ＵＩに表示されるようにすることができる。
【００３７】
前記アプリケーション推薦部１４０は、前記使用者端末機のメイン画面に表示されたアイコンの操作により、設定期間中に設定回数以上に頻繁に使用されるアプリケーションの使用パターンを記憶して学習することができる。
【００３８】
前記アプリケーション推薦部１４０は、前記学習結果に基づいてアプリケーションの推薦指数を決定することができる。前記アプリケーション推薦部１４０は、前記決定された推薦指数に基づいてアプリケーションの推薦リストを作成することができる。これによって、前記表示部１３０は、前記推薦リストを前記使用者端末機のメイン画面に表示することができる。
【００３９】
一方、前記アプリケーション推薦部１４０は、前記使用者端末機の位置情報（ＧＰＳ情報）、前記位置情報を獲得した時間情報、及び前記アプリケーションの使用と関連するログ（Ｌｏｇ）情報を用いて前記使用者のライフパターンを推論することができる。前記アプリケーション推薦部１４０は、前記推論されたライフパターンに基づいて位置別、時間帯別に該当のアプリケーションを推薦することができる。
【００４０】
ここで、前記位置情報は、前記使用者端末機に搭載されたＧＰＳモジュールによって獲得されてもよく、前記時間情報は、前記使用者端末機に搭載された日付／時間アプリケーションによって獲得されてもよい。また、前記ログ情報は、各アプリケーションの使用（実行）時、該当のアプリケーション名、使用日付及び時間などを含んでもよい。このようなログ情報は、前記使用者端末機に搭載されたメモリに記録されてもよく、前記アプリケーション推薦部１４０からの呼び出しによって前記メモリからロードされてもよい。
【００４１】
前記スケジュール推薦部１５０は、前記ライフスタイル情報を用いて前記使用者の生活パターンを分析した学習資料を生成することができる。前記スケジュール推薦部１５０は、前記生成された学習資料に基づいてアプリケーションの使用と関連するスケジュールを推薦することができる。
【００４２】
例えば、前記スケジュール推薦部１５０は、ニュースや新聞、天気と関連する過去の同じ時間帯のイシューに基づいて現在の予想イシューを予測することができる。そして、前記スケジュール推薦部１５０は、前記予想イシューに基づいて前記アプリケーションの使用と関連するスケジュールを推薦することができる。
【００４３】
前記制御部１６０は、本発明の一実施例に係る使用者中心のメイン画面アイコン設定装置１００、すなわち、前記生成部１１０、前記決定部１２０、前記表示部１３０、前記アプリケーション推薦部１４０、前記スケジュール推薦部１５０などの動作を全般的に制御することができる。
【００４４】
図３は、本発明の一実施例に係る使用者中心のメイン画面アイコン設定方法を説明するために示したフローチャートである。
【００４５】
図１及び図３を参照すると、ステップ（３１０）において、前記メイン画面アイコン設定装置１００の生成部１１０は、前記使用者端末機に対する使用者のアプリケーション別使用パターンを分析し、前記使用者のアプリケーション使用趣向によるライフスタイル情報を生成する。
【００４６】
次に、ステップ（３２０）において、前記メイン画面アイコン設定装置１００の決定部１２０は、前記生成されたライフスタイル情報を用いて、前記使用者端末機にインストールされたアプリケーション別使用回数及び使用時間によるアプリケーション順位を決定する。
【００４７】
次に、ステップ（３３０）において、前記メイン画面アイコン設定装置１００の表示部１３０は、前記決定されたアプリケーション順位に基づいてＮ個のアプリケーションを選出する。
【００４８】
次に、ステップ（３４０）において、前記メイン画面アイコン設定装置１００の表示部１３０は、前記選出されたＮ個のアプリケーションのそれぞれに対応するアイコンをメモリからロードし、これを前記使用者端末機のメイン画面に表示する。
【００４９】
図４は、本発明の一実施例において、アプリケーションを推薦してメイン画面に表示する過程を説明するために示したフローチャートである。
【００５０】
図１及び図４を参照すると、ステップ（４１０）において、前記メイン画面アイコン設定装置１００のアプリケーション推薦部１４０は、前記メイン画面に表示されたアイコンの操作によって設定期間中に設定回数以上に頻繁に使用されるアプリケーションの使用パターンを記憶して学習する。
【００５１】
次に、ステップ（４２０）において、前記メイン画面アイコン設定装置１００のアプリケーション推薦部１４０は、前記学習結果に基づいてアプリケーションの推薦指数を決定する。
【００５２】
次に、ステップ（４３０）において、前記メイン画面アイコン設定装置１００のアプリケーション推薦部１４０は、前記決定された推薦指数に基づいてアプリケーションの推薦リストを作成する。
【００５３】
次に、ステップ（４４０）において、前記メイン画面アイコン設定装置１００の表示部１３０は、前記推薦リストを前記使用者端末機のメイン画面に表示する。
【００５４】
図５は、本発明の一実施例において、アプリケーションの使用と関連するスケジュールを推薦する過程を説明するために示したフローチャートである。
【００５５】
図１及び図５を参照すると、ステップ（５１０）において、前記メイン画面アイコン設定装置１００のスケジュール推薦部１５０は、前記ライフスタイル情報を用いて前記使用者の生活パターンを分析した学習資料を生成する。
【００５６】
次に、ステップ（５２０）において、前記メイン画面アイコン設定装置１００のスケジュール推薦部１５０は、前記生成された学習資料に基づいてアプリケーションの使用と関連するスケジュールを推薦する。
【００５７】
以下では、本発明の一実施例に係る使用者中心のメイン画面アイコン設定装置及び方法について、機能的な面でより具体的に補充説明をする。
【００５８】
本発明の一実施例に係る使用者中心のメイン画面アイコン設定装置及び方法は、３次元立体メニューアイコンＵＸ―ＵＩを提供するためのものであって、このために、次のような各機能を提供することができる。
【００５９】
１．使用者カスタマイズ型機能（Ｌｉｆｅ  Ｓｔｙｌｅ  ＋  Ｌｉｆｅ  Ｔｉｍｅ）
【００６０】
朝起きてから新聞を読むこと、出勤バスに乗りに行く前のバス位置確認、マイカーで出勤する前の交通状況把握、出勤後の業務関連ビジネス検索、昼休みのウェブやニュース検索、退勤時間のバス位置確認及び交通混雑状況把握、退勤後の約束場所位置検索及びおいしい店検索、退勤後に家で必要なスケジュール管理及び検索、週末ショッピング、スポーツ、外出などのスケジュール管理及び検索など、多様な個々人の趣向に合うライフスタイルと個人のライフタイムスケジュールによるアプリケーションのカスタマイズ型機能である。生活パターンと時間帯による個人に適したプログラムアイコンを示す。
【００６１】
２．使用者使用中心の学習機能
【００６２】
―  使用者使用中心の学習効果を有するＵＸ―ＵＩ
【００６３】
―  使用者が生活パターンによって頻繁に使用し、特定時間帯に頻繁に使用したり、（記念日などの）特別な日または時間帯に使用したことがあるプログラム（アプリケーション）メニューを記憶、学習及び発展させる機能。
【００６４】
３．使用者アプリケーション推薦機能
【００６５】
使用者パターンによる３次元立体ＵＸ―ＵＩを表示しながら、それによる学習機能に基づいた使用者の特別なパターンに従い、使用者に、それと類似するか、正反対であるか、人気があるか、多くの使用者等が使用しているか、あるいは流行しているアプリケーションを人工知能で検索して推薦し、画面上にディスプレイされているアイコンの代わりになるか、アイコンの周囲への表示によって使用者に使用を推薦するＵＸ―ＵＩ機能。
【００６６】
４．使用者スケジュール推薦機能
【００６７】
前記のように学習された使用者パターンによって特定日や特定日に使用者のパターンを分析した学習資料に基づいて、使用者に、類似するか、完全に異なる新たな形態のスケジュールを推薦し、新たな旅行地、新たな運動法、新たなおいしい店、新たな地域、新たな友達を紹介または推薦し、新たなスケジュールを学習された使用者スケジュールに合わせる新たなスケジュール推薦機能。
【００６８】
５．事前の検索推薦機能
【００６９】
学習された使用者パターンによる学習機能に加えて、ニュース、新聞または天気などの新たなイシューに対する過去の同じ時間帯や過去のイシューに基づいて現在の予想イシュー、ニュース、新聞または天気を予測し、使用者に予め検索された新たなスケジュールを推薦して画面に表示するＵＸ―ＵＩ機能。
【００７０】
６．その他の機能
【００７１】
―  ビームプロジェクターでＵＩ伝送
【００７２】
―  ホログラムでＵＩ動作可能
【００７３】
―  ３次元で動作
【００７４】
―  使用者の目を認識し、３次元ＵＩを動かしたり選択する構成
【００７５】
―  ３次元球形態のＵＩを透明にし、タマネギのように多重で中が透けるように配置し、時間の経過と共に内部のアイコンメニュー層が漸次外側に出て表面層になるＵＩ構成
【００７６】
―  左右のみに回転可能な球形態のＵＩを上下に回転すると、カテゴリーが順次変わるＵＩ設定
【００７７】
―  左右のみに回転可能な球形態のＵＩを上下に回転すると、内部のアイコンメニュー層が外側にまたは内側に出入りするＵＩ設定
【００７８】
―  二つ以上の指で拡大または縮小し、他の球を選択できる構成
【００７９】
―  銀河系を表示するように、地球、火星、木星、金星などの多くのカテゴリーＵＩを選択できる構成
【００８０】
―  使用者が使用したことがあるプログラムを、一日を基準にして時間帯別に、一週間を基準にして曜日別に、１ヶ月を基準にして特定日付別に、１年を基準にして特定月別に、全ての使用者の使用パターンを記憶して学習した後、使用者のパターン別にＵＩを配置して予め提供する設定
【００８１】
―  球形態のＵＩが継続して一定の速度（または不規則的な速度、または設定による速度）で回転しながらアイコンをディスプレイさせる。この場合、アイコンに現在のプログラムの内容や状態を示す。現在実行されているアプリケーションのみを集めて示すこともできる。
【００８２】
このように、本発明の一実施例では、使用者のアプリケーション使用趣向を考慮し、メイン画面のアイコンを使用者中心の３次元立体ＵＸ―ＵＩとして表示することによって、使用者が好んだり頻繁に利用するアプリケーションに対する使用便宜性及び接近性を向上させることができる。
【００８３】
本発明の各実施例は、多様なコンピューターで具現される動作を行うためのプログラム命令を含むコンピューター判読可能媒体を含む。前記コンピューター判読可能媒体は、プログラム命令、ローカルデータファイル、ローカルデータ構造などを単独で含んでもよく、または組み合わせて含んでもよい。前記媒体は、本発明のために特別に設計されて構成されたものであるか、コンピューターソフトウェア当業者に公知となった使用可能なものであってもよい。コンピューター判読可能記録媒体の例としては、ハードディスク、プロッピーディスク及び磁気テープなどの磁気媒体、ＣＤ―ＲＯＭ、ＤＶＤなどの光記録媒体、フロプティカルディスクなどの磁気―光媒体、及びＲＯＭ（Ｒｅａｄ  Ｏｎｌｙ  Ｍｅｍｏｒｙ）、ＲＡＭ、フラッシュメモリなどのプログラム命令を保存して行うように特別に構成されたハードウェア装置が含まれる。プログラム命令の例としては、コンパイラによって作られる機械語コードのみならず、インタープリターなどを使用してコンピューターによって実行可能な高級言語コードを含む。
【００８４】
以上では、本発明に係る具体的な実施例について説明したが、本発明の範囲から逸脱しない限度内で多様な変形が可能であることは当然である。そのため、本発明の範囲は、上述した実施例に限定して定めてはならなく、後述する特許請求の範囲のみならず、この特許請求の範囲と均等なものによって定めなければならない。
【００８５】
以上のように、本発明は、限定された実施例と図面に基づいて説明したが、本発明は、前記の実施例に限定されるものではなく、本発明の属する分野で通常の知識を有する者であれば、このような記載から多様な修正及び変形が可能である。したがって、本発明の思想は、以下で記載した特許請求の範囲によってのみ把握しなければならなく、その均等または等価的変形は、いずれも本発明の思想の範疇に属するものと言えるだろう。
【図１】
2015517707.tif 000003
【図２】
2015517707.tif 000004
【図３】
2015517707.tif 000005
【図４】
2015517707.tif 000006
【図５】
2015517707.tif 000007
【国際調査報告】
2015517707.tif 000008
2015517707.tif 000009
2015517707.tif 000010
2015517707.tif 000011